(57)【要約】      （修正有）【課題】部品を紛失しにくく、強固に光ファイバを固定できる光ファイバ固定器具を提供する。【解決手段】光ファイバ固定器具は、枢支部１ａを有する台座１と、回転ブロック２と、固定壁３と、回転方向制限手段４とを有する。回転ブロックは、枢支部に回転自在に枢支され、外径が漸増する外径漸増部を外周の一部に備えている。固定壁は、台座上の枢支部から所定の距離に固定して配置され、回転ブロックの外周面と離間して対向する。回転方向制限手段は、回転ブロックの回転方向を、固定壁と回転ブロックの外周面との距離が小さくなる方向に制限する。【選択図】図１
2018109715.tif 000002
【特許請求の範囲】
【請求項１】
枢支部を有する台座と、
前記枢支部に回転自在に枢支され、外径が漸増する外径漸増部を外周の一部に備えた回転ブロックと、
前記台座上の前記枢支部から所定の距離に配置され前記回転ブロックの外周面と離間して対向する固定壁と、
前記回転ブロックの回転方向を、前記固定壁と前記外径漸増部との距離が小さくなる方向に制限する回転方向制限手段と
を有することを特徴とする光ファイバ固定器具。
【請求項２】
前記回転方向制限手段が、ラチェット爪を有し、
前記回転ブロックが、前記ラチェット爪に係合する傾斜の非対称な係止突起を有し、
前記ラチェット爪と前記係止突起とでラチェット機構を形成する
ことを特徴とする請求項１に記載の光ファイバ固定器具。
【請求項３】
前記外径漸増部が前記固定壁側に凹凸形状を有する
ことを特徴とする請求項１または請求項２に記載の光ファイバ固定器具。
【請求項４】
前記外径漸増部に圧力を加えられて前記固定壁方向へスライドする固定部材を有する
ことを特徴とする請求項１乃至請求項３いずれか一項に記載の光ファイバ固定器具。
【請求項５】
前記固定部材が略平板状の基部を有する
ことを特徴とする請求項４に記載の光ファイバ固定器具。
【請求項６】
前記固定部材が突起を有する
ことを特徴とする請求項５に記載の光ファイバ固定器具。
【請求項７】
前記回転ブロックが光ファイバを挟持した位置にあるときに、前記光ファイバを挟持した領域の上方をカバーする上方カバーを有する
ことを特徴とする請求項１乃至請求項６いずれか一項に記載の光ファイバ固定器具。
【請求項８】
請求項１乃至請求項７いずれか一項に記載の光ファイバ固定器具を内部に固定した筐体を有する光ファイバ接続器。
【請求項９】
枢支部を有する台座に、外径が漸増する外径漸増部を外周の一部に備えた回転ブロック
前記枢支部に回転自在に枢支し、
前記台座上で前記枢支部から所定の距離に前記回転ブロックの外周面と離間して対向する固定壁を配置し、
前記外径漸増部と前記固定壁との間に光ファイバを挿通し、
前記回転ブロックの回転方向を、前記固定壁と前記外径漸増部との距離が小さくなる方向に制限して回転させる
ことを特徴とする光ファイバ固定方法。
【請求項１０】
前記外径漸増部と前記光ファイバとの間に固定部材を配置する
ことを特徴とする請求項９に記載の光ファイバ固定方法。
【発明の詳細な説明】
【技術分野】
【０００１】
本発明は、光ファイバ固定器具および光ファイバ接続器に関する。
【背景技術】
【０００２】
光通信や電子機器の接続等に光ファイバが広く用いられている。このような光ファイバの終端は、光デバイス、端末、コネクタなどに接続される。そして、光ファイバと上記の光デバイス等との接続部は筐体に収容されて保護される。この時、筐体に引き込まれた光ファイバに外力が加わると接続部に負荷がかかり故障や破壊の原因となる。このような不具合を防止するためは、筐体内に引き込まれた光ファイバの中間部分を筐体に固定することが望ましい。
【０００３】
例えば特許文献１には、外径にくさび形のテーパー面を持つクランプで光ファイバを挟持し、クランプの外形に対応するテーパー状の内面を有する固定ブロックに、当該クランプを嵌合させて固定する技術が開示されている。この固定ブロックのテーパー状の内面には、クランプの前進に対しては引っ掛かり難いが、後退に対しては引っ掛かり易い鋸歯状凹凸が形成されている。そして、クランプの後端部外面には弾性を有する爪部が形成され、当該爪部が鋸歯状凹凸の凹部に入り込み、クランプを抜け難くすることができる。こうして、固定ブロックに光ファイバを安定的に固定することができる。
【先行技術文献】
【特許文献】
【０００４】
【特許文献１】特開平１０−３３２９５３号公報
【発明の概要】
【発明が解決しようとする課題】
【０００５】
しかしながら、特許文献１の技術では、クランプと固定ブロックとが分離した構成であるため、クランプを紛失しやすいという問題があった。また、クランプと固定ブロックとの接触面積が小さいため、固定する力が弱いという問題があった。
【０００６】
本発明は、上記の問題点に鑑みてなされたものであり、部品を紛失しにくく、引っ張り力に対して強い光ファイバ固定器具を提供することを目的としている。
【課題を解決するための手段】
【０００７】
上記の課題を解決するため、光ファイバ固定器具は、光ファイバ固定器具は、枢支部を有する台座と、回転ブロックと、固定壁と、回転方向制限手段とを有する。回転ブロックは、枢支部に回転自在に枢支され、外径が漸増する外径漸増部を外周の一部に備えている。固定壁は、台座上の枢支部から所定の距離に固定して配置され、回転ブロックの外周面と離間して対向する。回転方向制限手段は、回転ブロックの回転方向を、固定壁と回転ブロックの外周面との距離が小さくなる方向に制限する。
【発明の効果】
【０００８】
本発明の効果は、部品を紛失しにくく、強固に光ファイバを固定できる光ファイバ固定器具を提供できることである。
【図面の簡単な説明】
【０００９】
【図１】第１の実施形態の光ファイバ固定器具を示すブロック図である。
【図２】第２の実施形態の光ファイバ固定器具を示す平面図である。
【図３】第２の実施形態の光ファイバを固定した状態を示す平面図である。
【図４】第３の実施形態の全体構成を示す斜視図である。
【図５】第３の実施形態の詳細を示す平面図である。
【図６】第４の実施形態の光ファイバ固定器具を示す平面図である。
【図７】第５の実施形態の光ファイバ固定器具を示す平面図である。
【図８】第５の実施形態の光ファイバを固定した状態を示す平面図である。
【発明を実施するための形態】
【００１０】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１１】
（第１の実施形態）
図１は、本実施形態の光ファイバ固定器具を示すブロック図である。光ファイバ固定器具は、枢支部１ａを有する台座１と、回転ブロック２と、固定壁３と、回転方向制限手段４とを有する。
【００１２】
回転ブロック２は、枢支部１ａに回転自在に枢支され、外径が漸増する外径漸増部２ａを外周の一部に備えている。
【００１３】
固定壁３は、台座１上の枢支部１ａから所定の距離に固定して配置され、回転ブロック２の外周面と離間して対向する。
【００１４】
回転方向制限手段４は、回転ブロック２の回転方向を、固定壁３と回転ブロック２の外周面との距離が小さくなる方向に制限する。換言すると、図１中に矢印で示すように、回転ブロック２の回転方向を、固定壁３と対向する回転ブロック２の外径が漸増する方向に制限する。そして、逆方向には回転しないようにする。
【００１５】
回転ブロック２の外径漸増部２ａと固定壁３との間隔は、外径漸増部２ａの外径最小部では固定しようとする光ファイバ５の外径よりも大きく、外径漸増部２ａの外径最大部では光ファイバ５の外径より小さくなるように設定する。
【００１６】
以上のような構成とすると、固定壁３と回転ブロック２との間に光ファイバ５を挿通し、回転ブロック２を回転できる方向に回転すると、回転の途中で光ファイバ５が、固定壁３と回転ブロック２とで挟持される。そして回転ブロック２は、それ以上同じ方向に回転できなくなる。加えて、回転方向制限手段４によって、回転ブロック２は逆方向にも回転できなくなる。その結果、光ファイバ５は光ファイバ固定器具によって固定される。また、回転ブロック２は、光ファイバ５を挿通する前から台座１に枢支されているため、部品を固定側の部品と分離して保持する必要がない。このため特許文献１の技術で懸念されるような部品の紛失が起こりにくい。
【００１７】
以上説明したように、本実施形態によれば、部品を紛失しにくく、引っ張り力に対して強い光ファイバ固定器具を提供することができる。
【００１８】
（第２の実施形態）
図２は第２の実施形態の光ファイバ固定器具１００を示す平面図である。光ファイバ固定器具１００は、台座１０と、回転ブロック２０と、固定壁３０と、回転方向制限部４０とを有する。
【００１９】
台座１０は、回転ブロック２０を枢支するための枢支部１１を有する。また台座上には、回転ブロック２０に対して所定の関係となるように、固定壁３０と回転方向制限部４０とが配置される。また、光ファイバ５０を挿通する際に光ファイバ５０を案内するガイド１２およびガイド１３を設けている。
【００２０】
回転ブロック２０は、枢支部１１で台座１０に回動自在に枢支されている。枢支部１１における両者の雄雌の関係はどちらでもよい。また、例えば、どちらか一方に「割り」を入れるなどして、回転ブロック２０が枢支部１１から抜け難くなるようにしても良い。
【００２１】
回転ブロック２０は、外径漸増部２１と、外周の少なくとも一部に設けられた係止突起２２を有する。係止突起２２は、例えば、突起の順方向側の傾斜が緩やかで、逆方向側の傾斜が略垂直乃至オーバーハングとなるような非対称な傾斜を持っている。外径漸増部２１は、回転ブロックの外周部の中で、回転軸からの距離が徐々に大きくなる部分である。
【００２２】
回転方向制限部４０は、台座１０に固定された基部４１と、弾性を有する梁４２と、梁４２の先端側に設けられたラチェット爪４３とを有する。ラチェット爪４３は、片側が傾斜面で、反対側が回転ブロックの外周面に対して略垂直からオーバーハングとなるような先端形状を有する。
【００２３】
上記のような組み合わせとすることで、ラチェット爪４３と係止突起２２とがラチェット機構を形成し、回転ブロック２０の回転が、図２中の矢印の方向の回転だけに制限される。なお以降は、この方向を順方向と呼び、逆を逆方向と呼ぶこととする。順方向の回転では、ラチェット爪４３は、梁の弾性と、係止突起２２の順方向側の斜面の緩やかさにより、係止突起２２を容易に乗り越える。一方で、逆方向の回転では、ラチェット爪４３が係止突起２２の逆方向側の面に係合し、それ以上回転することができなくなる。
【００２４】
次に、光ファイバ固定器具１００の動作について説明する。図３は、図２の状態から、例えばハンドル２３を利用して回転ブロック２０を順方向に回転した時の状態を示す平面図である。回転ブロック２０の順方向回転により、外径漸増部２１のどこかの位置で、固定壁３０との距離が光ファイバ５０の外径よりも小さくなる。これにより、光ファイバ５０が挟持され、光ファイバ固定器具１００に固定できる。この時、回転方向制限部４０では、ラチェット爪４３が係止突起２２に係合し、回転ブロック２０は逆方向には回転しない。なお、図３の例では、紙面上方から見た外径漸増部２１の上には上方カバー部２０ａが設けられ、光ファイバ５０が上方に外れることも防いでいる。
【００２５】
以上説明したように、本実施形態によれば、簡単な構成と操作で確実に光ファイバを固定することができる。
【００２６】
（第３の実施形態）
本実施形態では、光ファイバ固定器具の利用例について説明する。図４は、筐体２００の内部に光ファイバ固定器具１００を固定した光ファイバ接続器を示す斜視図である。このような光ファイバ接続器を用いることにより、光ファイバを安全に、光デバイスや光コネクタなどに接続することができる。筐体２００は、光ファイバ引込口２０１を有し、そこから光ファイバ５０が、筐体２００内に引き込まれている。
【００２７】
図５は、筐体２００の天板を取り去って、内部を見た時の平面図である。筐体２００内に引き込まれた、光ファイバ５０は接続部５１を介して光装置３００に接続されている。筐体に引き込まれた光ファイバ５０は、余長部５ａを束ねられて、光ファイバ引込口の近くで、光ファイバ固定器具１００により、筐体２００に固定されている。なお図示はしていないが、光ファイバ固定器具１００は、両面テープやネジなどで筐体２００に固定されている。また上記の光装置３００は、一例を示したものであり、光デバイス、通信装置、コネクタなどであっても良い。
【００２８】
（第４の実施形態）
第２の実施形態では、回転ブロック２０の外径漸増部２１が滑らかな曲面である例を示したが、凹凸をつけることで摩擦力を強めて固定を強化することもできる。
【００２９】
図６は外径漸増部２４の表面に固定突起２４ａを有する凹凸形状を設けた光ファイバ固定器具４００を示す平面図である。外径漸増部以外の構成については第２の実施形態（図３）と同様なので説明を省略する。図３と同様に、回転ブロック２０と固定壁３０との間に光ファイバ５０を挿通した後、回転ブロックを順方向に回転させ、光ファイバ５０を挟持している。この時、固定突起２４ａにより、局所的に作用する圧力および摩擦力が強まり、光ファイバ５０は、より強固に固定される。
【００３０】
（第５の実施の形態）
第１から第４の実施形態では、回転ブロックが直接光ファイバを固定壁側に押圧し、固定壁との間に挟持する構成について説明したが、回転ブロックと分離された固定部材で光ファイバを挟持しても良い。
【００３１】
図７は固定部材６０で光ファイバを挟持する光ファイバ固定器具５００の構成例を示す平面図である。固定部材６０を用いる他は、第２の実施形態と同様である。
【００３２】
固定部材６０は、略平板状の基部６０ａと複数の突起６０ｂとを有している。そして、挿通された光ファイバ５０を挟んで固定壁３０と対向し、回転ブロック２０と光ファイバ５０との間に固定部材６０を配置する。固定部材６０を用いると、外径漸増部２１と固定壁３０との間隔が広がる。すなわち、固定された光ファイバ５０の上方の領域をカバーするためには、覆いを広くする必要がある。このため、図７の例では、上方カバー２０ｂを第２の実施形態より広いものにしている。
【００３３】
図８に示すように回転ブロック２０を順方向に回転すると、固定部材６０は外径漸増部２１によって固定壁３０側に押圧されてスライドする。そして、固定壁３０との間隔が狭まることにより、光ファイバ５０が挟持される。この時、回転方向制限部４０の作用により、回転ブロック２０は逆方向には回転しないため、光ファイバ５０を固定することができる。
【００３４】
ここで示した固定部材６０は、板状の基部６０ａを持つため、円弧状の外径漸増部２１よりも広い範囲で光ファイバ５０に圧力をかけることができる、また、突起６０ｂを設けることにより、摩擦力を高め、強固に光ファイバ５０を固定することができる。
【００３５】
なお、固定部材６０は、固定壁３０側へのスライドが可能となる形で、スライド機構や弾性部材で台座から支持しても良い。また、図７、８に示した固定部材６０の形状はあくまで一例であり、光ファイバ５０の固定を行うことができる任意の形状を取ることができる。
【００３６】
以上説明したように、本実施形態によれば、光ファイバを強固に固定することができる。
【００３７】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００３８】
１、１０    台座
２、２０    回転ブロック
３、３０    固定壁
４    回転方向制限手段
５、５０    光ファイバ
１１    枢支部
２１    外径漸増部
２２    係止突起
４０    回転方向制限部
４１    基部
４２    梁
４３  ラチェット爪
６０    固定部材
【図１】
2018109715.tif 000003
【図２】
2018109715.tif 000004
【図３】
2018109715.tif 000005
【図４】
2018109715.tif 000006
【図５】
2018109715.tif 000007
【図６】
2018109715.tif 000008
【図７】
2018109715.tif 000009
【図８】
2018109715.tif 000010